(57)【特許請求の範囲】
【請求項１】
１つの放送チャンネルにおいて、複数組の映像データおよび音声データによる複数のサービスを提供可能な放送電波を受信するデジタル放送受信機において、
上記放送チャンネル中のサービス構成として、共通の映像データを利用する複数のサービスが定義されているか否かを判断する判断手段と、
音声の切替を指示する音声切替指示手段と、
上記判断手段により共通の映像データを利用する複数のサービスが定義されていると判断される場合、上記音声切替指示手段による音声の切替指示に基づいて、上記共通の映像データを利用する複数のサービスの間でサービスを切り替える音声切替手段と、
を有することを特徴とするデジタル放送受信機。
【請求項２】
前記音声切替指示手段を音声切替ボタンとし、
前記音声切替手段は、上記音声切替ボタンの操作に基づいて、受信中のサービス内での音声の切替と、受信中のサービスと映像データを共通に利用する複数のサービスの間でのサービスの切替とを実行すること、
を特徴とする請求項１記載のデジタル放送受信機。
【請求項３】
前記判断手段により、共通の映像データを利用する複数のサービスが定義されていると判断される場合、サービスの切替操作において、その共通の映像データを利用する複数のサービスの中の１つをサービスの切り替え対象とするサービス切替手段を有することを特徴とする請求項１または２に記載のデジタル放送受信機。
【請求項４】
前記判断手段により、複数のサービスが提供され、かつ共通の映像データを利用する複数のサービスが定義されていると判断されない場合、サービスの切替が利用可能であることを表示させ、共通の映像データを利用する複数のサービスが定義されていると判断される場合、音声の切替が可能であることを表示させる表示指示手段を有することを特徴とする請求項１から３の中のいずれか１項記載のデジタル放送受信機。
【請求項５】
前記判断手段は、各前記サービスにおいて指定されている映像データの識別情報が複数のサービスにおいて一致する場合、および／または、複数のサービスの番組情報が一致する場合、共通の映像データを利用する複数のサービスが存在すると判断すること、を特徴とする請求項１から４の中のいずれか１項記載のデジタル放送受信機。
【請求項６】
１つの放送チャンネルにおいて、複数組の映像データおよび音声データによる複数のサービスを提供可能な放送電波を受信するデジタル放送受信機において、
上記放送チャンネル中のサービス構成として、共通の音声データを利用する複数のサービスが定義されているか否かを判断する判断手段と、
上記判断手段により共通の音声データを利用する複数のサービスが定義されていると判断される場合、映像の切替操作に基づいて、上記共通の音声データを利用する複数のサービスの間でサービスを切り替える映像切替手段と、
を有することを特徴とするデジタル放送受信機。
【請求項７】
１つの放送チャンネルにおいて、複数組の映像データおよび音声データによる複数のサービスを提供可能な放送電波を受信するデジタル放送受信機におけるデジタル放送の切替方法であって、
上記放送チャンネル中のサービス構成として、共通の映像データを利用する複数のサービスが定義されているか否かを判断するステップと、
上記ステップにより共通の映像データを利用する複数のサービスが定義されていると判断される場合、音声の切替を指示する音声切替指示手段による音声の切替指示に基づいて、上記共通の映像データを利用する複数のサービスの間でサービスを切り替えるステップと、
を有することを特徴とするデジタル放送の切替方法。
【請求項８】
１つの放送チャンネルにおいて、複数組の映像データおよび音声データによる複数のサービスを提供可能な放送電波を受信するデジタル放送受信機におけるデジタル放送の切替方法であって、
上記放送チャンネル中のサービス構成として、共通の音声データを利用する複数のサービスが定義されているか否かを判断するステップと、
上記ステップにより共通の音声データを利用する複数のサービスが定義されていると判断される場合、映像の切替操作に基づいて、上記共通の音声データを利用する複数のサービスの間でサービスを切り替えるステップと、
を有することを特徴とするデジタル放送の切替方法。
【発明の詳細な説明】
【技術分野】
【０００１】
本発明は、デジタル放送受信機およびデジタル放送の切替方法に関する。
【背景技術】
【０００２】
特許文献１は、映像情報及び付加情報が送信されるデジタル放送を受信するデジタル放送受信機を開示する。このデジタル放送受信機は、ＳＤＴＶ（Ｓｔａｎｄａｒｄ  Ｄｅｆｉｎｉｔｉｏｎ  Ｔｅｌｅｖｉｓｉｏｎ）のチャンネル毎の番組データを比較し、これらの番組データが共通する場合には１つのチャンネルとして取り扱うことにより、ＨＤＴＶ（Ｈｉｇｈ  Ｄｅｆｉｎｉｔｉｏｎ  Ｔｅｌｅｖｉｓｉｏｎ）放送がＳＤＴＶのチャンネル毎に繰り返し選局されてしまうことを防止している。
【０００３】
【特許文献１】特開２００５−２１８１３１号公報（要約、発明の詳細な説明など）
【発明の開示】
【発明が解決しようとする課題】
【０００４】
このようにデジタル放送では、１つの放送チャンネルにおいて、複数組の映像データおよび音声データによる複数のサービスを提供することができる。そのため、放送事業者は映像と音声とを自由に組み合わせて多様なサービスの提供が可能となる。
【０００５】
その一方で、複数のサービスが提供されることで、放送を受信するユーザにとっては理解に苦しむ事態が生じうる。すなわち、たとえば、従来のアナログ放送では、１つの放送では音声のみが多重化されて切替が可能であった。そして、この音声の多重化技術は、デジタル放送においても引き続き利用されると予想される。
【０００６】
そのため、たとえば、１つのデジタル放送において、映像が共通し且つ音声が異なる複数のサービスが提供される場合と、１つのデジタル放送において、複数の音声が多重化されたサービスが提供される場合とで、ユーザは、異なる操作をしなければならない。
【０００７】
すなわち、ユーザは、前者の場合にはサービスの切替操作をし、後者の場合には音声の切替操作をしなければならない。これらの違いを理解できない場合、ユーザは、操作に応じて正常な切替がなされているにもかかわらず、たとえば前者の場合において、音声のみがサービスにより切り替わり、サービスを切り替えても映像が変化しないなどの違和感を感じてしまうことになる。
【０００８】
本発明は、放送事業者が自由に設定するサービスの組合せを理解することなく、従来のアナログ放送を受信する場合と同様の使い勝手により、音声あるいは映像の切替が可能なデジタル放送受信機およびデジタル放送の切替方法を得ることを目的とする。
【課題を解決するための手段】
【０００９】
本発明に係るデジタル放送受信機は、１つの放送チャンネルにおいて、複数組の映像データおよび音声データによる複数のサービスを提供可能な放送電波を受信するものである。そして、このデジタル放送受信機は、放送チャンネル中のサービス構成として、共通の映像データを利用する複数のサービスが定義されているか否かを判断する判断手段と、音声の切替を指示する音声切替指示手段と、判断手段により共通の映像データを利用する複数のサービスが定義されていると判断される場合、音声切替指示手段による音声の切替指示に基づいて、共通の映像データを利用する複数のサービスの間でサービスを切り替える音声切替手段と、を有する。
【００１０】
本発明に係るデジタル放送受信機は、上述した発明の構成に加えて以下の特徴を有するものである。すなわち、デジタル放送受信機は、さらに、音声切替指示手段として、音声切替ボタンを有する。そして、音声切替手段は、音声切替ボタンの操作に基づいて、受信中のサービス内での音声の切替と、受信中のサービスと映像データを共通に利用する複数のサービスの間でのサービスの切替とを実行する。
【００１１】
本発明に係るデジタル放送受信機は、上述した発明の各構成に加えて以下の特徴を有するものである。すなわち、デジタル放送受信機は、さらに、判断手段により、共通の映像データを利用する複数のサービスが定義されていると判断される場合、サービスの切替操作において、その共通の映像データを利用する複数のサービスの中の１つをサービスの切り替え対象とするサービス切替手段を有する。
【００１２】
本発明に係るデジタル放送受信機は、上述した発明の各構成に加えて以下の特徴を有するものである。すなわち、デジタル放送受信機は、さらに、判断手段により、共通の映像データを利用する複数のサービスが定義されていると判断されない場合、サービスの切替が利用可能であることを表示させ、共通の映像データを利用する複数のサービスが定義されていると判断される場合、音声の切替が可能であることを表示させる表示指示手段を有する。
【００１３】
本発明に係るデジタル放送受信機は、上述した発明の各構成に加えて以下の特徴を有するものである。すなわち、判断手段は、各サービスにおいて指定されている映像データの識別情報が複数のサービスにおいて一致する場合、および／または、複数のサービスの番組情報が一致する場合、共通の映像データを利用する複数のサービスが存在すると判断する。
【００１４】
本発明に係る他のデジタル放送受信機は、１つの放送チャンネルにおいて、複数組の映像データおよび音声データによる複数のサービスを提供可能な放送電波を受信するものである。そして、このデジタル放送受信機は、放送チャンネル中のサービス構成として、共通の音声データを利用する複数のサービスが定義されているか否かを判断する判断手段と、判断手段により共通の音声データを利用する複数のサービスが定義されていると判断される場合、映像の切替操作に基づいて、共通の音声データを利用する複数のサービスの間でサービスを切り替える映像切替手段と、を有する。
【００１５】
本発明に係るデジタル放送の切替方法は、１つの放送チャンネルにおいて、複数組の映像データおよび音声データによる複数のサービスを提供可能な放送電波を受信するデジタル放送受信機におけるものである。そして、このデジタル放送の切替方法は、放送チャンネル中のサービス構成として、共通の映像データを利用する複数のサービスが定義されているか否かを判断するステップと、ステップにより共通の映像データを利用する複数のサービスが定義されていると判断される場合、音声の切替を指示する音声切替指示手段による音声の切替指示に基づいて、共通の映像データを利用する複数のサービスの間でサービスを切り替えるステップと、を有する。
【００１６】
本発明に係る他のデジタル放送の切替方法は、１つの放送チャンネルにおいて、複数組の映像データおよび音声データによる複数のサービスを提供可能な放送電波を受信するデジタル放送受信機におけるものである。そして、この他のデジタル放送の切替方法は、放送チャンネル中のサービス構成として、共通の音声データを利用する複数のサービスが定義されているか否かを判断するステップと、ステップにより共通の音声データを利用する複数のサービスが定義されていると判断される場合、映像の切替操作に基づいて、共通の音声データを利用する複数のサービスの間でサービスを切り替えるステップと、を有する。
【発明の効果】
【００１７】
本発明では、放送事業者が自由に設定するサービスの組合せを理解することなく、従来のアナログ放送を受信する場合と同様の使い勝手により、音声あるいは映像の切替が可能となる。
【発明を実施するための最良の形態】
【００１８】
以下、本発明の実施の形態に係るデジタル放送受信機およびデジタル放送の切替方法を、図面に基づいて説明する。デジタル放送の切替方法は、デジタル放送受信機の動作の一部として説明する。
【００１９】
図１は、本発明の実施の形態に係るデジタル放送受信機１を示すブロック図である。このデジタル放送受信機１は、放送チャンネル毎にデジタル放送の放送電波を受信し、出力する。
【００２０】
デジタル放送の放送電波には、たとえばＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）方式（日本方式）のものや、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式（アメリカ方式）のもの、ＤＶＢ−Ｔ（Ｄｉｇｉｔａｌ  Ｖｉｄｅｏ  Ｂｒｏａｄｃａｓｔｉｎｇ）方式（欧州方式）のものなどがある。
【００２１】
また、ＩＳＤＢ方式には、衛星放送用のＩＳＤＢ−Ｓ方式、地上波デジタル放送用のＩＳＤＢ−Ｔ方式、地上デジタル音声放送用のＩＳＤＢ−ＴＳＢ方式、ケーブルテレビ向けのＩＳＤＢ−Ｃ方式などがある。
【００２２】
これらのデジタル放送の放送電波では、従来のアナログ放送とは異なり、放送チャンネル毎に複数のサービスを提供することが可能である。図２〜図５は、１つの放送チャンネルにおけるサービスの構成例を示す説明図である。
【００２３】
図２は、１つの放送チャンネルにおいて１組の映像データ５１および音声データ５２による単一サービスを提供する場合のコンテンツ構成イメージを示す図である。図２の放送チャンネルは、１つのＰＭＴ（Ｐｒｏｇｒａｍ  Ｍａｐ  Ｔａｂｌｅ）４１を有する。そのＰＭＴ４１は、映像データ５１を伝送するＴＳ（Ｔｒａｎｓｐｏｒｔ  Ｓｔｒｅａｍ）パケットのＰＩＤ（Ｐａｃｋｅｔ  ＩＤ）と、音声データ５２を伝送するＴＳパケットのＰＩＤとを有する。
【００２４】
なお、ＰＭＴ４１は、図示外のＰＡＴ（Ｐｒｏｇｒａｍ  Ａｓｓｏｃｉａｔｉｏｎ  Ｔａｂｌｅ）、ＣＡＴ（Ｃｏｎｄｉｔｉｏｎａｌ  Ａｃｃｅｓｓ  Ｔａｂｌｅ）、ＮＩＴ（Ｎｅｔｗｏｒｋ  Ｉｎｆｏｒｍａｔｉｏｎ  Ｔａｂｌｅ）などとともにＰＳＩデータを構成する。ＰＳＩデータは、放送電波において周期的に送信される。
【００２５】
図３は、１つの放送チャンネルにおいて１つの映像データ５１および２つの音声データ５２による単一サービスを提供する場合のコンテンツ構成イメージを示す図である。図３の１つのＰＭＴ４１は、映像データ５１のＰＩＤと、２つの音声データ５２のＰＩＤとを有する。
【００２６】
図４は、１つの放送チャンネルにおいて３組の映像データ５１および音声データ５２による３つのサービスを提供する場合のコンテンツ構成イメージを示す図である。図４の各ＰＭＴ４１は、各組の映像データ５１のＰＩＤと、音声データ５２のＰＩＤとを有する。
【００２７】
図５は、１つの放送チャンネルにおいて１つの映像データ５１および３つの音声データ５２による３つのサービスを提供する場合のコンテンツ構成イメージを示す図である。図５の各ＰＭＴ４１は、共通する１つの映像データ５１のＰＩＤと、互いに異なる別々の音声データ５２のＰＩＤとを有する。
【００２８】
この図２から図５に示すように、放送事業者は、割り当てられた１つの放送チャンネルを用いて、映像と音声とを自由に組み合わせた多種多様なサービスを提供することが可能である。放送事業者は、番組編成や映像の画質などに合わせてサービスの組合せを変更し、放送することができる。たとえば、図５のコンテンツ構成により高品質のサービスを多言語により提供したり、図４のコンテンツ構成により同時に３つのサービスを提供したりすることができる。放送事業者は、これらコンテンツ構成を切り替えて多種多様なサービスを提供することが可能となる。
【００２９】
なお、１つの放送チャンネルにおけるＰＭＴ４１の個数は、それにより提供されるサービスの個数と一致する。また、各ＰＭＴ４１における映像データ５１のＰＩＤの個数は、そのサービスにおいて利用可能な映像データ５１の個数を示し、各ＰＭＴ４１における音声データ５２のＰＩＤの個数は、そのサービスにおいて利用可能な音声データ５２の個数を示すことになる。
【００３０】
このようなデジタル放送の電波を受信するデジタル放送受信機１は、図１に示すように、受信アンテナ１１、チューナ部１２、復調部１３、デマルチプレクサ部１４、ＡＶ（Ａｕｄｉｏ  Ｖｉｓｕａｌ）デコーダ部１５、ＯＳＤ（Ｏｎ  Ｓｃｒｅｅｎ  Ｄｉｓｐｌａｙ）部１６、映像出力部１７、ＤＡ（Ｄｉｇｉｔａｌ  ｔｏ  Ａｎａｌｏｇ）部１８、音声出力部１９などを有する。
【００３１】
受信アンテナ１１は、デジタル放送電波を受信する。チューナ部１２は、受信アンテナ１１による受信信号を中間周波数信号へ変換する。復調部１３は、たとえばＯＦＤＭ（Ｏｒｔｈｇｏｎａｌ  Ｆｒｅｅｑｕｅｎｃｙ  Ｄｉｖｉｓｉｏｎ  Ｍｕｌｔｉｐｌｅｘ：直交周波数分割多重）方式によって分割多重された信号から中間周波数信号を復調し、１つの放送チャンネルのベースバンド信号を生成する。デマルチプレクサ部１４は、ベースバンド信号から、放送電波に多重化されていた１つのサービスの映像データ５１および音声データ５２を抽出する。ＡＶデコーダ部１５は、抽出された映像データ５１から映像信号を生成し、抽出された音声データ５２から音声信号を生成する。
【００３２】
ＯＳＤ部１６は、ＡＶデコーダ部１５により生成された映像信号をそのまま映像出力部１７へ出力したり、ＡＶデコーダ部１５により生成された映像信号にＯＳＤ画面を重ねた映像信号を映像出力部１７へ出力したりする。ＤＡ部１８は、ＡＶデコーダ部１５により生成された音声信号を音声出力部１９へ出力する。
【００３３】
これにより、映像出力部１７に接続される図示外のハイビジョンテレビジョン受像機に、デマルチプレクサ部１４により選択されたサービスの映像が表示され、音声出力部１９に接続される図示外のスピーカシステムから、デマルチプレクサ部１４により選択されたサービスの音声が出力される。
【００３４】
図１のデジタル放送受信機１は、この他にも、入力デバイス２１、ＣＰＵ（Ｃｅｎｔｒａｌ  Ｐｒｏｃｅｓｓｉｎｇ  Ｕｎｉｔ）２２、メモリ２３などを有する。
【００３５】
入力デバイス２１は、たとえばサービス切替ボタンとしても機能するチャンネル切替ボタン３１、音声切替指示手段の一例である音声切替ボタン３２などを有する。なお、このチャンネル切替ボタン３１、音声切替ボタン３２などは、デジタル放送受信機１の図示外の前面パネルに配設されていても、デジタル放送受信機１用のリモートコントロールユニットに配設されていてもよい。また、音声切替ボタン３２以外に、例えば、音声認識可能なマイクおよびＣＰＵ２２を含む音声切替指示手段を採用しても良い。
【００３６】
ＣＰＵ２２は、メモリ２３に記憶される図示外のプログラムを読み込んで実行する。これにより、ＣＰＵ２２には制御部などの機能が実現される。制御部は、判断手段、音声切替手段、サービス切替手段および表示指示手段として機能するものであり、たとえば、入力デバイス２１からボタン操作に応じて入力される操作データに基づいて、チューナ部１２、復調部１３、デマルチプレクサ部１４、ＡＶデコーダ部１５、ＯＳＤ部１６、ＤＡ部１８などを制御する。
【００３７】
次に、以上の構成を有するデジタル放送受信機１の動作を説明する。以下において、主に、所定の１つの放送チャンネルを受信している状態でのＯＳＤ表示動作と、音声切替動作と、サービス切替動作（チャンネル切替動作）と、を順番に説明する。
【００３８】
図６は、図１中のＣＰＵ（制御部）２２が実行するＯＳＤ処理の流れを示すフローチャートである。ＣＰＵ２２は、たとえばチャンネル切替ボタン３１の操作がなされた後に１つの放送チャンネルの受信を開始し始めたときなどにおいて、図６のＯＳＤ処理を実行する。
【００３９】
ＯＳＤ処理において、ＣＰＵ２２は、まず、受信中のサービス内での音声切替が可能であるか否かを判断する（ステップＳＴ１）。ＣＰＵ２２は、受信中のサービスが音声多重放送である場合、あるいは受信中サービスのＰＭＴ４１に複数の音声データ５２のＰＩＤが登録されている場合、受信中のサービスが複数の音声データ５２を利用するものであると判断する。
【００４０】
受信中サービス内での音声切替が可能である場合、ＣＰＵ２２は、サービス内音声切替が可能であることをメモリ２３に記憶させる（ステップＳＴ２）。逆に、受信中サービスが音声多重放送ではなく、しかも複数の音声データ５２を利用するものでもない場合、ＣＰＵ２２は、サービス内音声切替が不可能であることをメモリ２３に記憶させる（ステップＳＴ３）。
【００４１】
その後、ＣＰＵ２２は、複数サービスを受信しているか否かを判断する（ステップＳＴ４）。受信中の放送電波が単一サービスのものである場合、ＣＰＵ２２は、複数サービスを受信していないと判断する。この場合、ＣＰＵ２２は、サービス切替が不可能であることをＯＳＤ部１６に表示させる（ステップＳＴ５）。ＯＳＤ部１６は、その旨を表示するＯＳＤ画面を、ＡＶデコーダ部１５により生成された映像信号に重ねて出力する。
【００４２】
受信中の放送電波が複数のサービスのものである場合、ＣＰＵ２２は、複数サービスを受信していると判断する。この場合、ＣＰＵ２２は、さらに、受信中サービス以外の他のサービスにおいて、再生中サービスと同じ映像を指定するものが存在するか否かを判断する（ステップＳＴ６）。ＣＰＵ２２は、たとえば、再生中サービスの映像と同じＰＩＤを有する他のサービスのＰＭＴ４１が存在しない場合、再生中サービスと同じ映像を指定するものが存在しないと判断する。この場合、ＣＰＵ２２は、サービス切替が可能であることをＯＳＤ部１６に表示させる（ステップＳＴ７）。ＯＳＤ部１６は、その旨を表示するＯＳＤ画面を、ＡＶデコーダ部１５により生成された映像信号に重ねて出力する。
【００４３】
また、再生中サービスの映像と同じＰＩＤを有する他のサービスのＰＭＴ４１が存在する場合、ＣＰＵ２２は、サービスの切替により音声の切り替えが可能であることをメモリ２３に記憶させる（ステップＳＴ８）。
【００４４】
その後、ＣＰＵ２２は、音声切替が可能であるか否かを判断する（ステップＳＴ９）。ＣＰＵ２２は、メモリ２３を参照し、メモリ２３に、サービス内音声切替が可能であることが記憶されている場合、あるいはサービスの切替により音声の切り替えが可能であることが記憶されている場合、音声切替が可能であると判断する。
【００４５】
音声切替が可能であると判断すると、ＣＰＵ２２は、音声切替が可能であることをＯＳＤ部１６に表示させる（ステップＳＴ１０）。ＯＳＤ部１６は、その旨を表示するＯＳＤ画面を、ＡＶデコーダ部１５により生成された映像信号に重ねて出力する。
【００４６】
音声切替が可能でないと判断すると、ＣＰＵ２２は、音声切替が不可能であることをＯＳＤ部１６に表示させる（ステップＳＴ１１）。ＯＳＤ部１６は、その旨を表示するＯＳＤ画面を、ＡＶデコーダ部１５により生成された映像信号に重ねて出力する。
【００４７】
以上のＯＳＤ処理により、デジタル放送受信機１は、受信中サービスと同じ映像を使用する他のサービス（ＰＭＴ４１）が存在する場合には、それに接続される図示外のハイビジョンテレビジョン受像機に音声切替可能と表示させ、他のサービス（ＰＭＴ４１）が受信中サービスと異なる映像を使用する場合には、サービス切替可能と表示させる。
【００４８】
図７は、図１中のＣＰＵ（制御部）２２が実行する音声切替処理の流れを示すフローチャートである。ＣＰＵ２２は、たとえば音声切替ボタン３２が操作されたときなどにおいて、図７の音声切替処理を実行する（ステップＳＴ２１）。
【００４９】
音声切替処理において、ＣＰＵ２２は、まず、受信中サービス内において音声切替が可能であるか否かを判断する（ステップＳＴ２２）。たとえば受信中サービスのＰＭＴ４１において複数の音声のＰＩＤが指定されている場合、あるいは指定されている音声データ５２が音声多重化されたものである場合、ＣＰＵ２２は、受信中サービス内において音声切替が可能であると判断する。
【００５０】
受信中サービス内において音声切替が可能であると判断した場合、ＣＰＵ２２は、さらに、サービスの切替による音声の切り替えが可能であるか否かを判断する（ステップＳＴ２３）。ＣＰＵ２２は、たとえば、受信中の放送チャンネルが複数サービスを提供するものであり、且つ、受信中サービスと同じ映像のＰＩＤを指定する他のサービスが存在する場合、サービスの切替による音声の切り替えが可能であると判断する。
【００５１】
受信中サービス内において音声切替が可能であると判断し、さらに、サービスの切替による音声の切り替えが可能であると判断した場合、ＣＰＵ２２は、それらの間での音声の切替順序を決定し、メモリ２３に保存する（ステップＳＴ２４）。ＣＰＵ２２は、たとえば、まず受信中サービス内での多重化音声へ切り替え、次に、受信中サービス内の他の音声データ５２へ切り替え、さらに同じ映像のＰＩＤを指定する他のサービスへ切り替える順番を決定し、メモリ２３に保存する。
【００５２】
その後、ＣＰＵ２２は、たとえば音声切替ボタン３２が操作される度に、メモリ２３に保存されている切替順序を用いて、再生する音声を切り替える制御を実行する（ステップＳＴ２５）。たとえば、受信中の音声データ５２の多重化音声へ切り替える場合、ＣＰＵ２２は、ＡＶデコーダ部１５およびＤＡ部１８へ多重化音声間での切替を指示する。受信中サービス内の他の音声データ５２へ切り替える場合、ＣＰＵ２２は、再生中サービスのＰＭＴ４１に登録されている他の音声データ５２を抽出するようにデマルチプレクサ部１４へ指示する。他のサービスへ切り替える場合、ＣＰＵ２２は、他のサービスのＰＭＴ４１に登録されている他の音声データ５２を抽出するようにデマルチプレクサ部１４へ指示する。
【００５３】
受信中サービス内において音声切替が可能であると判断した後に、サービスの切替による音声の切り替えが可能でないと判断した場合、ＣＰＵ２２は、受信中サービス内での音声の切替順序を決定し、メモリ２３に保存する（ステップＳＴ２６）。ＣＰＵ２２は、たとえば、まず受信中の音声データ５２の多重化音声へ切り替え、次に、受信中サービス内の他の音声データ５２へ切り替える順番を決定し、メモリ２３に保存する。その後、ＣＰＵ２２は、たとえば音声切替ボタン３２が操作される度に、メモリ２３に保存されている切替順序を用いて、再生する音声を切り替える制御を実行する（ステップＳＴ２７）。
【００５４】
ステップＳＴ２２において受信中サービス内において音声切替が可能でないと判断した場合、ＣＰＵ２２は、さらに、サービスの切替による音声の切り替えが可能であるか否かを判断する（ステップＳＴ２８）。そして、受信中サービス内において音声切替が可能でないと判断した後に、サービスの切替による音声の切り替えが可能であると判断した場合、ＣＰＵ２２は、サービスによる音声の切替順序を決定し、メモリ２３に保存する（ステップＳＴ２９）。その後、ＣＰＵ２２は、たとえば音声切替ボタン３２が操作される度に、メモリ２３に保存されている切替順序を用いて、再生する音声を切り替える制御を実行する（ステップＳＴ３０）。
【００５５】
受信中サービス内において音声切替が可能でないと判断した後に、サービスの切替による音声の切り替えが可能でないと判断した場合、ＣＰＵ２２は、音声を切り替える制御をすることなく、ＯＳＤ部１６に音声切替が不可能であることを表示させる（ステップＳＴ３１，ＳＴ３２）。ＯＳＤ部１６は、その旨を表示するＯＳＤ画面を、ＡＶデコーダ部１５により生成された映像信号に重ねて出力する。
【００５６】
以上の音声切替処理により、デジタル放送受信機１は、サービスの切替による音声の切り替えが可能である場合、音声切替ボタン３２の操作などに基づいてサービスの切替を実行する。
【００５７】
図８は、図１中のＣＰＵ（制御部）２２が実行するサービス切替処理（チャンネル切替処理）の流れを示すフローチャートである。ＣＰＵ２２は、たとえばチャンネル切替ボタン３１（サービス切替ボタン）が操作されたときなどにおいて、図８のサービス切替処理を実行する（ステップＳＴ４１）。
【００５８】
サービス切替処理（チャンネル切替処理）において、ＣＰＵ２２は、まず、チャンネル切替ボタン３１の操作に応じて次のチャンネル（サービスを含む）を選択する（ステップＳＴ４２）。デジタル放送では、ＰＳＩデータによりチャンネル構成（サービスの構成を含む）を判断することができる。ＣＰＵ２２は、たとえばチャンネル切替ボタン３１においてチャンネルアップが操作された場合、ＰＳＩデータを用いて受信中サービスの番組番号の１つ後の番組番号を次のサービスとして選択し、チャンネル切替ボタン３１においてチャンネルダウンが操作された場合、ＰＳＩデータを用いて受信中サービスの番組番号の１つ前の番組番号を次のサービスとして選択する。この選択により、次のチャンネルとして、同一放送チャンネル内の他のサービスあるいは他の放送チャンネルのサービスが選択される。
【００５９】
次のチャンネルを選択した後、ＣＰＵ２２は、その選択したチャンネルの映像と再生中の映像とが同じであるか否かを判断する（ステップＳＴ４３）。ＣＰＵ２２は、たとえば選択したチャンネルに対応するサービスの映像のＰＩＤと、再生中サービスの映像のＰＩＤとが一致する場合、選択したチャンネルの映像と再生中の映像とが同じであると判断する。この場合、ＣＰＵ２２は、さらに次のチャンネルを選択する（ステップＳＴ４２）。ＣＰＵ２２は、映像が一致しなくなるまで（ステップＳＴ４３でＮｏと判断するまで）、次のチャンネルの選択処理（ステップＳＴ４２）を繰り返す。
【００６０】
再生中サービスとは異なる映像のチャンネルを選択すると、ＣＰＵ２２は、そのチャンネル（サービス）への切替処理を実行する（ステップＳＴ４４）。たとえば選択したチャンネルのサービスが再生中サービスと同一放送チャンネル内である場合、ＣＰＵ２２は、選択したチャンネルのＰＭＴ４１に登録されている他の映像データ５１および他の音声データ５２を抽出するように、デマルチプレクサ部１４へ指示する。この他にもたとえば、選択したチャンネルのサービスが他の放送チャンネルのサービスである場合、ＣＰＵ２２は、選択した放送チャンネルを受信して且つその選択したチャンネルのサービスを受信するように、復調部１３、デマルチプレクサ部１４、ＡＶデコーダ部１５、ＤＡ部１８へ指示する。
【００６１】
以上のサービス切替処理（チャンネル切替処理）により、デジタル放送受信機１は、チャンネル切替ボタン３１（サービス切替ボタン）の操作に基づいて、映像が切り替わるようにサービスの切替を実行する。
【００６２】
以上のように、この実施の形態のデジタル放送受信機１は、サービスの切替操作により音声のみが切り替わる複数のサービスを、図８のサービスの切替操作によらずに、図７の音声の切替操作により切り替えることができる。したがって、ユーザは、たとえば、１つのデジタル放送において、映像が共通し且つ音声が異なる複数のサービスが提供される場合と、複数の音声が多重化されたサービスが提供される場合との違いを理解することなく、音声の切替操作により映像が共通するサービスを切り替えることができる。すなわち、ユーザは、放送事業者が自由に設定するサービスの組合せを理解していなくても、従来のアナログ放送を受信する場合と同様の音声の切替操作により、異なるサービス間の音声の切替が可能である。
【００６３】
また、この実施の形態のデジタル放送受信機１のＣＰＵ（制御部）２２は、図７のステップＳＴ２１〜ＳＴ２５に示すように、音声切替ボタン３２の操作に応じて、受信中サービス内での音声の切替と、受信中のサービスの映像データ５１を共通に利用する複数のサービスの間でのサービスの切替とを実行する。したがって、ユーザは、切替可能な複数の音声が受信中のサービスにおいて指定されているか、あるいは複数のサービスにおいて別々に指定されているかを意識することなく、音声切替ボタン３２による単一の操作により、それらの音声を切り替えることができる。ユーザは、放送事業者が自由に設定するサービスの組合せを理解していなくても、音声切替ボタン３２を操作することで、１つのサービス内の複数の音声と、異なるサービスでの複数の音声とを切り替えることができる。
【００６４】
また、この実施の形態のデジタル放送受信機１において、ＣＰＵ（制御部）２２は、受信中のサービス内での音声の切替ができず、且つ、受信中のサービスと映像データ５１を共通に利用する複数のサービスの間でのサービスの切替ができない場合には、音声切替ボタン３２が操作されたとしても、音声を切り替えない（図７のステップＳＴ３１）。したがって、ユーザは、放送事業者が自由に設定するサービスの組合せを理解しなくとも、音声切替ボタン３２を操作することで、切り替え可能な音声が無いことを判断することができる。
【００６５】
また、この実施の形態のデジタル放送受信機１において、ＣＰＵ（制御部）２２は、共通の映像データ５１を利用する複数のサービスが定義されていると判断される場合、チャンネル（サービス）の切替操作において、その共通の映像データ５１を利用する複数のサービスの中の１つをチャンネル（サービス）の切り替え対象とする（図８のステップＳＴ４２，ＳＴ４３）。したがって、サービスの切替操作がなされたにもかかわらずに、音声のみが切り替わる切替がなされることはなくなる。チャンネル（サービス）の切替操作では、映像が必ず切り替わる。
【００６６】
そのため、仮にたとえばチャンネル（サービス）の切替操作により音声のみが切り替わる場合には、ユーザがその切替に違和感を感じたり、切り替えがなされなかったと誤認識してしまったりするおそれがあるが、そのような問題が生じなくなる。また、音声のみが切り替わるサービスの切り替えは、音声の切替操作（図７）のみにより実現されることになるので、ユーザは、映像および音声の切替処理において違和感を感じてしまうことはない。
【００６７】
また、この実施の形態のデジタル放送受信機１において、ＣＰＵ（制御部）２２は、共通の映像データ５１を利用する複数のサービスが定義されていると判断されない場合、サービスの切替が利用可能であることを表示させる（図６のステップＳＴ７）。また、ＣＰＵ（制御部）２２は、共通の映像データ５１を利用する複数のサービスが定義されていると判断される場合、音声の切替が可能であることを表示させる（図６のステップＳＴ１０）。これらの表示に基づいて、ユーザは、サービスの切替が可能であることや、音声の切替が可能であることを知ることができる。
【００６８】
また、この実施の形態のデジタル放送受信機１において、ＣＰＵ（制御部）２２は、各サービスにおいて指定されている映像データ５１のＰＩＤ（識別情報）が複数のサービスにおいて一致する場合、共通の映像データ５１を利用する複数のサービスが存在すると判断する（図６のステップＳＴ６、図７のステップＳＴ２３、ＳＴ２８、図８のステップＳＴ４３）。したがって、ＣＰＵ（制御部）２２は、受信するチャンネルの情報（ＰＳＩデータの情報）のみに基づいて、その放送チャンネルにより提供される複数のサービス中に、共通の映像データ５１を利用する複数のサービスが定義されていることを判断することができる。
【００６９】
以上の実施の形態は、本発明の好適な実施の形態の例であるが、本発明は、これに限定されるものではなく、発明の要旨を逸脱しない範囲において種々の変形や変更が可能である。
【００７０】
上記実施の形態では、デジタル放送受信機１のＣＰＵ（制御部）２２は、図６のＯＳＤ処理において、同一サービス内での音声切替の有無と、映像を共通する複数のサービスの有無とを判断し、図７の音声切替処理においても、同一サービス内での音声切替の有無と、映像を共通する複数のサービスの有無とを判断している。この他にもたとえば、ＣＰＵ（制御部）２２は、図７の音声切替処理において、メモリ２３に図６のＯＳＤ処理による音声切替の有無が登録されているか否かを判断するようにしてもよい。
【００７１】
上記実施の形態では、デジタル放送受信機１のＣＰＵ（制御部）２２は、受信中の放送チャンネル内の複数のサービスにおいて、映像のＰＩＤ（識別情報）が一致する場合には、共通の映像データ５１を利用する複数のサービスが存在するものと判断している（図６のステップ６）。この他にもたとえば、ＣＰＵ（制御部）２２は、複数のサービスの番組情報が一致する場合に、共通の映像データ５１を利用する複数のサービスが存在するものと判断するようにしてもよい。
【００７２】
図９は、図６のＯＳＤ処理の変形例の流れを示すフローチャートである。図９のステップＳＴ６において、受信中の放送チャンネル内の複数のサービスの映像のＰＩＤ（識別情報）が一致すると判断した場合、ＣＰＵ（制御部）２２は、さらに複数のサービスの番組名（番組情報）が一致するか否かを判断する（ステップＳＴ５１）。そして、複数のサービスの番組名が一致すると判断すると、ＣＰＵ２２は、メモリ２３にサービスの切替により音声の切り替え可能であることを記憶させる（ステップＳＴ８）。複数のサービスの映像のＰＩＤが一致したとしても、それらの番組名が一致しない場合には、ＣＰＵ２２は、ＯＳＤ部１６にサービス切替が可能であることを表示させる（ステップＳＴ７）。
【００７３】
上記実施の形態では、デジタル放送受信機１は、チャンネル（サービス）切替時に図６のＯＳＤ処理を実行する。この他にもたとえば、デジタル放送受信機１は、チャンネル（サービス）切替時などにおいて、図６のＯＳＤ処理を実行しなくてもよい。
【００７４】
図１０は、図７の音声切替処理の変形例の流れを示すフローチャートである。図１０の音声切替処理は、ＯＳＤ処理を実行しない場合に好適に利用でき、音声データ５２の切替が可能であることを記憶するメモリ２３が不要である。
【００７５】
すなわち、図１０において、ＣＰＵ２２は、まず、受信中のサービスが音声多重放送または複数の音声データ５２を利用するものであるか否かを判断する（ステップＳＴ６１）。受信中サービスが音声多重放送である場合、または複数の音声データ５２を利用するものである場合、ＣＰＵ２２は、受信中サービスのＰＭＴ４１を参照して、そのＰＭＴ４１での並びで指定されている切替順における再生中の音声の順番を判断する。そして、再生中の音声の順番がＰＭＴ４１での切替順での最後尾でない場合（ステップＳＴ６２でＮｏの場合）、ＣＰＵ２２は、ＰＭＴ４１の切替順において次にある音声へ切り替える（ステップＳＴ６３）。
【００７６】
受信中のサービスが音声多重放送ではなく、しかも、複数の音声データ５２を利用するものでもない場合、ＣＰＵ２２は、複数サービスを受信しているか否かを判断する（ステップＳＴ６４）。また、再生中の音声の順番がＰＭＴ４１での切替順での最後尾である場合、ＣＰＵ２２は、複数サービスを受信しているか否かを判断する（ステップＳＴ６４）。
【００７７】
そして、複数サービスを受信していない場合、ＣＰＵ２２は、再生する音声を切り替えることなく、ＯＳＤ部１６にサービス切替が不可能であることを表示させる（ステップＳＴ６５，ＳＴ６６）。ＯＳＤ部１６は、その旨を表示するＯＳＤ画面を、ＡＶデコーダ部１５により生成された映像信号に重ねて出力する。
【００７８】
複数サービスを受信している場合、ＣＰＵ２２は、さらに、再生中以外の他のサービスの映像のＰＩＤが、再生中サービスの映像のＰＩＤと同じであるか否かを判断する（ステップＳＴ６７）。そして、同じ映像のＰＩＤを指定する他のサービスが無い場合、ＣＰＵ２２は、再生する音声を切り替えることなく、ＯＳＤ部１６にサービス切替が不可能であることを表示させる（ステップＳＴ６５，ＳＴ６６）。
【００７９】
同じ映像のＰＩＤを指定する他のサービスが存在する場合、ＣＰＵ２２は、さらに、複数のサービスの番組名（番組情報）が一致するか否かを判断する（ステップＳＴ６８）。そして、番組名（番組情報）が一致する他のサービスが無い場合、ＣＰＵ２２は、再生する音声を切り替えることなく、ＯＳＤ部１６にサービス切替が不可能であることを表示させる（ステップＳＴ６５，ＳＴ６６）。
【００８０】
番組名（番組情報）が一致する他のサービスが存在する場合、ＣＰＵ２２は、ＰＳＩデータを参照して、そのＰＳＩデータでの並びで指定されているサービス順における再生中サービスの順番を判断する（ステップＳＴ６９）。そして、再生中サービスの順番がＰＭＴ４１での切替順での最後尾でない場合、ＣＰＵ２２は、ＰＳＩデータでのサービス順において次にあるサービスへ切り替える（ステップＳＴ７０）。
【００８１】
再生中サービスの順番がＰＳＩデータでのサービス順での最後尾である場合、ＣＰＵ２２は、ＰＳＩデータでのサービス順での最初のサービスの最初の音声（そのサービスのＰＭＴ４１での最初の音声＝デフォルトの音声）へ切り替える（ステップＳＴ７１）。
【００８２】
上記実施の形態では、映像が共通し且つ音声が異なる複数のサービスが存在する場合、その複数のサービスを音声切替処理により切り替えるようにするとともに、サービスの切り替え処理ではそれらのサービスの間での切り替えがなされないようにしている。この他にもたとえば、映像が共通し且つ音声が異なる複数のサービスは、音声切替処理により切り替えることができるとともに、サービスの切り替え処理によっても切り替えることができるようにしてもよい。
【００８３】
上記実施の形態では、チャンネル切替ボタン３１がサービス切替ボタンとしても機能している。この他にもたとえば、デジタル放送受信機１は、チャンネル切替ボタン３１とは別に、図示外のサービス切替ボタンを有するものであってもよい。この変形例において、たとえば音声が共通し且つ映像が異なる複数のサービスが存在する場合、その複数のサービスを図示外のサービス切替ボタンのみにより切り替えられるようにしてもよい。
【００８４】
図１１は、デジタル放送受信機１のＣＰＵ（制御部）２２が実行する映像切替処理の流れを示すフローチャートである。この場合のＣＰＵ２２は、判断手段、映像切替手段、サービス切替手段および表示指示手段として機能し、たとえば図示外のサービス切替ボタンが操作されたときなどにおいて、図１１の映像切替処理を実行する。
【００８５】
映像切替処理において、デジタル放送受信機１のＣＰＵ（制御部）２２は、まず、受信チャンネルにおいて複数の映像データ５１（のＰＩＤ）が含まれているか否かに基づいて、映像切替が可能であるか否かを判断する（ステップＳＴ８１）。
【００８６】
受信中サービスにおいて映像切替が可能でないと判断した場合、ＣＰＵ２２は、映像を切りえる制御をすることなく、ＯＳＤ部１６に映像切替が不可能であることを表示させる（ステップＳＴ８２，ＳＴ８３）。ＯＳＤ部１６は、その旨を表示するＯＳＤ画面を、ＡＶデコーダ部１５により生成された映像信号に重ねて出力する。
【００８７】
受信中サービスにおいて映像切替が可能であると判断した場合、ＣＰＵ２２は、受信中サービスのＰＭＴ４１を参照して、そのＰＭＴ４１での並びで指定されている切替順における再生中の映像の順番を判断する。そして、再生中の映像の順番がＰＭＴ４１での切替順での最後尾でない場合（ステップＳＴ８４でＮｏの場合）、ＣＰＵ２２は、ＰＭＴ４１の切替順において次にある映像へ切り替える（ステップＳＴ８５）。
【００８８】
再生中の映像の順番がＰＭＴ４１での切替順での最後尾である場合（ステップＳＴ８４でＹｅｓの場合）、ＣＰＵ２２は、さらに、再生中以外の他のサービスの音声（のＰＩＤ）が、再生中サービスの音声（のＰＩＤ）と同じであるか否かを判断する（ステップＳＴ８６）。そして、同じ音声（のＰＩＤ）を指定する他のサービスが無い場合、ＣＰＵ２２は、再生する映像を切り替えることなく、ＯＳＤ部１６にサービス切替が不可能であることを表示させる（ステップＳＴ８２，ＳＴ８３）。
【００８９】
同じ音声（のＰＩＤ）を指定する他のサービスがある場合、ＣＰＵ２２は、さらに、ＰＳＩデータを参照して、そのＰＳＩデータでの並びで指定されているサービス順における再生中サービスの順番を判断する。そして、再生中サービスの順番がＰＳＩデータでの切替順での最後尾でない場合（ステップＳＴ８７でＮｏの場合）、ＣＰＵ２２は、ＰＳＩデータでのサービスの切替順において次にあるサービス（の映像）へ切り替える（ステップＳＴ８８）。
【００９０】
再生中サービスの順番がＰＳＩデータでのサービスの切替順での最後尾である場合（ステップＳＴ８７でＹｅｓの場合）、ＣＰＵ２２は、ＰＳＩデータでのサービスの切替順での最初のサービスの最初の映像（そのサービスのＰＭＴ４１での最初の映像＝デフォルトの映像）へ切り替える（ステップＳＴ８９）。
【００９１】
以上の映像切替処理により、デジタル放送受信機１は、サービスの切替による映像の切り替えが可能である場合、チャンネル切替ボタン３１とは別のサービス切替ボタンの操作に基づいて、サービスの切替を実行する。
【００９２】
上記実施の形態では、デジタル放送受信機１に接続されるハイビジョンテレビジョン受像機において映像を出力し、デジタル放送受信機１に接続されるスピーカシステムから音声を出力している。この他にもたとえば、デジタル放送受信機１に液晶ディスプレイデバイスやスピーカなどを設け、デジタル放送受信機１において映像や音声を出力するようにしてもよい。さらに他にもたとえば、デジタル放送受信機１は、液晶ディスプレイデバイスなどと一体化されて、自動車などの移動体に設置されていてもよい。
【産業上の利用可能性】
【００９３】
本発明は、放送事業者がサービスの組合せを自由に設定することができる放送電波を受信するデジタル放送受信機において好適に利用することができる。
【図面の簡単な説明】
【００９４】
【図１】図１は、本発明の実施の形態に係るデジタル放送受信機を示すブロック図である。
【図２】図２は、１組の映像データおよび音声データによる単一サービスを提供する放送チャンネルのコンテンツ構成イメージを示す図である。
【図３】図３は、１つの映像データおよび２つの音声データによる単一サービスを提供する放送チャンネルのコンテンツ構成イメージを示す図である。
【図４】図４は、３組の映像データおよび音声データによる３つのサービスを提供する放送チャンネルのコンテンツ構成イメージを示す図である。
【図５】図５は、１つの映像データおよび３つの音声データによる３つのサービスを提供する放送チャンネルのコンテンツ構成イメージを示す図である。
【図６】図６は、図１中のＣＰＵ（制御部）が実行するＯＳＤ処理の流れを示すフローチャートである。
【図７】図７は、図１中のＣＰＵ（制御部）が実行する音声切替処理の流れを示すフローチャートである。
【図８】図８は、図１中のＣＰＵ（制御部）が実行するサービス切替処理（チャンネル切替処理）の流れを示すフローチャートである。
【図９】図９は、図６のＯＳＤ処理の変形例の流れを示すフローチャートである。
【図１０】図１０は、図７の音声切替処理の変形例の流れを示すフローチャートである。
【図１１】図１１は、デジタル放送受信機のＣＰＵ（制御部）が実行する映像切替処理の流れを示すフローチャートである。
【符号の説明】
【００９５】
１  デジタル放送受信機
２２  ＣＰＵ（制御部、判断手段、音声切替手段、サービス切替手段、表示指示手段、映像切替手段）
３２  音声切替ボタン（音声切替指示手段）
【図１】
0005070979.tif 000002
【図２】
0005070979.tif 000003
【図３】
0005070979.tif 000004
【図４】
0005070979.tif 000005
【図５】
0005070979.tif 000006
【図６】
0005070979.tif 000007
【図７】
0005070979.tif 000008
【図８】
0005070979.tif 000009
【図９】
0005070979.tif 000010
【図１０】
0005070979.tif 000011
【図１１】
0005070979.tif 000012